(57)【要約】【課題】収納金枠へプレートを装着する際に、作業者の労力の負担を軽減し、しかもプレートの落下を防止することができ、既存設備やプレートの改造を必要としない、収納金枠へプレートの装着方法を提供する。【解決手段】スライディングノズル装置の収納金枠２が鉛直になるように配置された状態で、収納金枠の受け部材２１，２１にプレート９の傾斜面９１，９１を当接させてプレート９を装着する、収納金枠へのプレートの装着方法において、収納金枠２に、プレート９の下部に当接するガイド部８を有するセットガイド１を着脱可能に取り付ける。【選択図】図８
2016215249.tif 000002
【特許請求の範囲】
【請求項１】
スライディングノズル装置の収納金枠が鉛直になるように配置された状態で、収納金枠の受け部材にプレートの傾斜面を当接させてプレートを装着する、収納金枠へのプレートの装着方法において、
収納金枠に、プレートの下部に当接するガイド部を有するセットガイドを着脱可能に取り付けることを特徴とする収納金枠へのプレートの装着方法。
【請求項２】
収納金枠には、プレートが装着された状態において当該プレートの下端面の下に空間部を有し、受け部材から空間部へ掛止部が収納金枠の底面との間に隙間を形成するように突設されており、
この掛止部にセットガイドの係合部を係合させることにより、セットガイドを収納金枠に固定して取り付ける、請求項１に記載の収納金枠へのプレートの装着方法。
【請求項３】
セットガイドはベース部とカイド部とから構成され、セットガイドのベース部には当該ベース部から係合部が伸縮可能に設けられており、
セットガイドを隙間に挿入しベース部から係合部を伸ばして掛止部に係合させることにより、セットガイドを収納金枠に固定して取り付ける、請求項２に記載の収納金枠へのプレートの装着方法。
【請求項４】
係合部がリンク機構によって伸縮するローラーである、請求項３に記載の収納金枠へのプレートの装着方法。
【請求項５】
ガイド部には収納金枠の底面に対して傾斜するガイド面が設けられており、このガイド面が、当該ガイド面を含む平面と装着後のプレートの表面を含む平面とが交わる線がプレートの下端面から上に２０ｍｍ以内、下に１０ｍｍ以内の範囲に位置するように、セットガイドを収納金枠に取り付ける、請求項１から請求項４のいずれかに記載の収納金枠へのプレートの装着方法。
【発明の詳細な説明】
【技術分野】
【０００１】
本発明は、溶融金属の流量を制御するためのスライディングノズル装置において、その収納金枠へプレートを装着する方法に関する。
【背景技術】
【０００２】
スライディングノズル装置には通常は２枚あるいは３枚の耐火物製のプレートが使用されているが、これらのプレートは損耗するため定期的に新品に交換される。新品のプレートは、スライディングノズル装置の摺動方向が鉛直方向になる状態で金枠を開いたうえで、それぞれの収納金枠へ装着され固定される。
【０００３】
収納金枠へのプレートの固定方法の一例として、特許文献１の方法を図１０に示す。なお、この図１０は、特許文献１の図１をそのまま引用したものであり、後述する本発明の実施例に係る図１〜９と符号の重複があるが、図１０に付された符号と図１〜９に付された符号とは無関係である。
【０００４】
図１０において、プレート１６の両端面における両角部には、同角部を斜切することによって第１の傾斜面１８〜２１がそれぞれ形成されている。第１の傾斜面１８〜２１と収納金枠１０の対応する隅部との間には三角形状の空間２２〜２５が形成されている。そして、三角形状の空間２２、２３内にＬ字状の当て部材２６、２７が配設されており、これらの当て部材２６、２７には第１の傾斜面１８、１９と面接触する第２の傾斜面２８、２９が形成されている。一方、三角形状の空間２４、２５内に前部が斜切された棒状の受け部材３５、３６が配設されており、これらの受け部材３５、３６には第１の傾斜面２０、２１と面接触する第２の傾斜面３７、３８が形成されている。
【０００５】
この収納金枠１０へのプレート１６の装着は、収納金枠１０の長手方向中心軸が鉛直となった状態で行う。すなわち、プレート１６が受け部材３５、３６の傾斜面３７、３８に入るようにプレート１６を斜め上から下ろすように挿入しなければならない。さらにこのときには、左右のバランスをとりながら、しかも背面側の突起を貫通孔に嵌入させるために、慎重に位置決めを行わなければならない。
【０００６】
しかしこのとき、収納金枠１０は高温になっているため作業者は手袋をして作業をするところ、プレート１６は大きいもので約１０ｋｇと重く、プレート１６の表面には潤滑剤が塗られているため滑りやすく、しかもプレート１６と収納金枠１０との隙間が小さいため、必要以上に作業者の労力を必要とし、さらにはプレート１６が落下してしまう場合もある。
【０００７】
これに対して特許文献２には、収納金枠とプレートとの間にバネを設けたプレートの落下防止装置が開示されている。しかし、この装置はプレートを収納金枠へ装着した後にプレートが落下することを防止するものであるので、前述のプレートを収納金枠に装着するまでの作業者の負担の軽減にはならない。
【０００８】
一方、特許文献３には、プレートの両端に金属製の係合部を有するプレートが開示され、この係合部を収納金枠の受け部に係合させることでプレートの装着を容易に行い得る方法が開示されている。しかしながら、この方法ではプレートと収納金枠の改造が必要になる問題がある。
【先行技術文献】
【特許文献】
【０００９】
【特許文献１】特開平１０-３１４９２７号公報
【特許文献２】特開平８−３９２３４号公報
【特許文献３】国際公開第２０１２／１３３１８１号
【発明の概要】
【発明が解決しようとする課題】
【００１０】
本発明が解決しようとする課題は、収納金枠へプレートを装着する際に、作業者の労力の負担を軽減し、しかもプレートの落下を防止することができ、既存設備やプレートの改造を必要としない、収納金枠へプレートの装着方法を提供することにある。
【課題を解決するための手段】
【００１１】
本発明は、スライディングノズル装置の収納金枠が鉛直になるように配置された状態で、収納金枠の受け部材にプレートの傾斜面を当接させてプレートを装着する、収納金枠へのプレートの装着方法において、収納金枠に、プレートの下部に当接するガイド部を有するセットガイドを着脱可能に取り付けることを特徴とするものである。
【発明の効果】
【００１２】
本発明によれば、プレートを収納金枠へ挿入する際、セットガイドでプレートの荷重を受けることができるため、作業者の労力の負担を軽減し、しかもプレートの落下を防止することができる。また、プレートの挿入位置も楽に決めることができる。さらに、セットガイドは収納金枠へ着脱式となっているためプレートの改造を必要としない。
【図面の簡単な説明】
【００１３】
【図１】セットガイドを取り付けた収納金枠の斜視図である。
【図２】セットガイドを取り外した収納金枠の斜視図である。
【図３】収納金枠へ取り付けたセットガイドの詳細斜視図である。
【図４】セットガイドの縦断面図である。
【図５】セットガイドの縦断面図である。
【図６】セットガイドの縦断面図である。
【図７】プレートが装着された収納金枠の斜視図である。
【図８】収納金枠へプレートを装着する方法の説明図である。
【図９】セットガイドのガイド面とプレートとの位置関係の説明図である。
【図１０】従来の収納金枠へのプレートの固定方法を示す平面図である。
【発明を実施するための形態】
【００１４】
以下、図面を示す実施例に基づき本発明の実施の形態を説明する。なお、収納金枠へのプレートの装着は、スライディングノズル装置（収納金枠）を摺動方向が鉛直になるように配置して行うため、各図面はいずれも摺動方向が鉛直になる状態で示している。すなわち、各図面の上下は実際の作業と同じ位置となる。
【００１５】
図１には本発明で使用するセットガイド１を取り付けた状態の収納金枠２、図２にはセットガイド１を取り外した状態の収納金枠２をそれぞれ示している。また、図７にはプレート９が装着された状態の収納金枠２を示している。
【００１６】
収納金枠２は、下側にプレート９の下側のプレート傾斜面９１に当接する２つの受け部材２１を、上側にプレート９の上側のプレート傾斜面９１に当接する２つの押さえ部材２４を、また底面２５にはプレート９の突起が嵌入する貫通孔２６を有している。すなわち、プレート９は、２つの受け部材２１と、２つの押さえ部材２２とによって収納金枠２へ保持される。そしてこの保持状態では、プレート９の下端面９２の下の２つの受け部材２１の間に空間部４を有する。
【００１７】
２つの受け部材２１には、それぞれ掛止部として庇２３が設けられている。具体的には庇２３は、受け部材２１から収納金枠２の長手方向中心軸に向かって張り出して設けられており、この庇２３と収納金枠２の底面２５との間には隙間が形成されている。
【００１８】
本実施例においてセットガイド１は、前述の空間部４（隙間）を利用して収納金枠２へ着脱可能に取り付けられる。具体的には、図３及び図４に示すように、セットガイド１には伸縮部材としてリンク機構で伸縮するリンク部材７を有し、このリンク部材７の先のローラー７２が伸びて、受け部材２１の庇２３に当接することでセットガイド１が落下することなく収納金枠２に取り付けられる。
【００１９】
図４に示すように、セットガイド１は、ベース部６として、リンク部材７と、収納金枠２の底面に当接する底板６１と、上フレーム６２と、底板６１と上フレーム６２とをほぼ平行に離間して連結する連結フレーム６３を有する。上フレーム６２には、収納金枠２の底面と平行なリンクガイド溝６４を有し、また収納金枠２の底面に対して約６０度で（上方へ）傾斜するガイド面８１を有するガイド部８を有している。このガイド部８の上のエッジ８２は、滑らかなＲ形状としている。
【００２０】
このようにガイド部８のガイド面８１を傾斜面とするとともに、ガイド部８のエッジ８２をＲ形状とすることで、プレート９を収納金枠２へ装着する際に、プレート９をガイド部８のエッジ８２に載せて、プレート９の角度を変えながらプレート９を下方に移動してガイド面８１の傾斜角度に合わせながらプレート９を滑らせて収納金枠２へ装着することができる。
【００２１】
なお、ガイド部８の構成は、本実施例に限定されず、プレート９の荷重を受けることができ、そのプレート９を滑らせながら収納金枠２へ装着できるような構成であれば良く、例えば、ローラーや円柱状の金属棒などを利用することもできる。
【００２２】
リンク部材７は、一端にレバー６５を有ししかも途中がリンクガイド溝６４にスライド可能に保持されるレバー側リンクフレーム７４と、一端にローラー７２を回転可能に保持するローラー側リンクフレーム７１と、一端がベース部７に回動可能に保持された固定側リンクフレーム７３とが回動可能にピン７５で連結されている。
【００２３】
次に、本実施例のセットガイド１の使用方法を説明する。
【００２４】
図５に示すように、セットガイド１のレバー６５を底板６１に対して垂直にした状態、すなわちリンク部材７（リンク機構）によってローラー７２を引き込んだ状態にする。この状態で収納金枠２の空間部４にセットガイド１を挿入する。続いて、図６に示すようにレバー６５を底板６１と平行になるまで倒すと、リンク部材７によりとローラー７２は収納金枠２の底面２５上を転動しながら庇２３の底面側の隙間に嵌まり込む。これによりセットガイド１の収納金枠２への取り付けが完了となる。
【００２５】
なお、本実施例ではセットガイド１の係合部であるローラー７２を庇２３の底面側に伸ばすための伸縮部材としてリンク部材７（リンク機構）を採用したが、これ以外の伸縮部材を採用しても良く、係合部もローラーには限定されない。例えばローラーや突起部を収納金枠２の底面２５上を直線状にスライドさせるなど、他の伸縮部材及び係合部を採用することもできる。
【００２６】
次に、このセットガイド１を使用した収納金枠へのプレートの装着方法を説明する。
【００２７】
図８に示すように、プレート９を斜めにしてプレート９の摺動面９３をガイド部８に当接し、プレート９の荷重を預けた状態で、プレート９を収納金枠２の２つの受け部材２１間に挿入する。続いて、プレート９を斜めにした状態でプレート９の下端面９２（図７参照）の上下の位置を調整しながらプレート９のプレート傾斜面９１を受け部材２１に当接する。そして、プレート９の荷重の一部を受け部材２１に預けながらプレート９を起こして行き、最後は完全に鉛直にして、収納金枠２の貫通孔２６にプレート９の背面側の突起（図示省略）を合わせて、プレート９を収納金枠２の底面２５に押し付けて、プレート９を収納金枠２に挿入する。その後、押さえ部材２４のボルト２７を締めることでプレート９を固定し、セットガイド１を外す。
【００２８】
このように本発明では、プレート９を収納金枠２へ挿入する際に、セットガイド１のガイド部８にプレート９の荷重を預けることができるので、プレート９が手から滑って落下することを防止することができる。また、セットガイド１を収納金枠２へ着脱可能に取り付けることで、プレート９の形状を変更する必要はない。
【００２９】
ここで、プレート９は、そのプレート傾斜面９１と受け部材２１の傾斜面２２とが当接することで保持されるため、プレート９の幅が受け部材２１の傾斜面２２どうしの間隔よりも狭い位置でプレート９を挿入しなければならない。これに対して本発明では、前述のとおり、セットガイド１のガイド部８にプレート９の荷重を預けた状態で、プレート９の傾斜角度を調整しながら挿入することで位置合わせが可能である。この点に関し、より簡便に受け部材２１に対して位置合わせをしたい場合には、ガイド部８にガイド面８１を設けて、以下の位置関係とすることが好ましい。
【００３０】
すなわち、ガイド面８１は、図９に示すように、ガイド面８１を含む平面と装着後のプレート９の摺動面９３（表面）を含む平面とが交わる線がプレートの下端面９２から上に２０ｍｍ以内、下に１０ｍｍ以内の範囲に位置するようにすることが好ましい。ガイド面８１を含む平面と装着後のプレート９の摺動面９３を含む平面とが交わる線がプレートの下端面９２から上に２０ｍｍよりも上になる場合には、プレート挿入時のプレート９の下端面９２の位置が高くなるためプレート９を高く持ち上げる必要性が生じる。一方、ガイド面８１を含む平面と装着後のプレート９の摺動面９３を含む平面とが交わる線がプレート９の下端面９２から下に１０ｍｍよりも下になる場合には、プレート９が受け部材２１の間に入りにくくなるおそれがあり、その場合、プレート９を上にずらす必要性が生じる。
【符号の説明】
【００３１】
１  セットガイド
２  収納金枠
２１  受け部材
２２  傾斜面
２３  庇（掛止部）
２４  押さえ部材
２５  底面
２６  貫通孔
２７  ボルト
４  空間部
６  ベース部
６１  底板
６２  上フレーム
６３  連結フレーム
６４  リンクガイド溝
６５  レバー
７  リンク部材
７１  ローラー側リンクフレーム
７２  ローラー（係合部）
７３  固定側リンクフレーム
７４  レバー側リンクフレーム
７５  ピン
８  ガイド部
８１  ガイド面
８２  エッジ
９  プレート
９１  プレート傾斜面
９２  下端面
９３  摺動面（表面）
【図１０】
2016215249.tif 000003
【図１】
2016215249.tif 000004
【図２】
2016215249.tif 000005
【図３】
2016215249.tif 000006
【図４】
2016215249.tif 000007
【図５】
2016215249.tif 000008
【図６】
2016215249.tif 000009
【図７】
2016215249.tif 000010
【図８】
2016215249.tif 000011
【図９】
2016215249.tif 000012